(57)【特許請求の範囲】
【請求項１】
内容液の充填空間を有する減容変形可能な内層体と、
該内層体をその内側に収納するとともに該内層体との相互間に空気を導入する外気導入開口が形成された外層体と、
前記内層体の上部開口を覆う天壁を有し、該天壁に、前記充填空間に通じる内容液通路が形成された中栓と、
該内容液通路を閉鎖する一方、前記外層体への押圧に伴う該充填空間への加圧にて該内容液通路を開放する逆止弁と、
内容液を注出する注出筒を有し、該中栓及び該逆止弁を内側に収めて前記外層体の口部周壁に装着される注出キャップと、を備える二重容器であって、
前記注出キャップには、該注出キャップとの間に前記内容液通路を通して流入する内容液に旋回を与えるスピン通路を形成するノズルチップが装着され、
該ノズルチップ又は該注出キャップに設けられた、前記内容液通路及び前記スピン通路を通過した内容液を噴射可能な噴出口が、前記注出筒の内側に配置されており、
前記ノズルチップ又は前記注出キャップには、前記スピン通路とは別に前記内容液通路と噴出口とを連通させる貫通孔が形成されていることを特徴とする二重容器。
【請求項２】
前記スピン通路は、相互に当接する前記ノズルチップ及び前記注出キャップの当接面の何れか一方側に形成された、前記噴出口に向かって収束する複数のスピン溝で構成される、請求項１に記載の二重容器。
【発明の詳細な説明】
【技術分野】
【０００１】
本発明は、内容液の充填空間を有する減容変形可能な内層体と、当該内層体をその内側に収納する外層体と、外層体の口部に装着される注出キャップとを備え、注出キャップに設けた注出口から内容液を注出する二重容器に関する。
【背景技術】
【０００２】
従来、各種の食品調味料をはじめ、化粧料や薬剤等の内容液を収容する容器としては、注出口を有する注出キャップを容器本体の口部に装着し、容器を傾けたり容器胴部を押圧したりすることで、内容液を注出する容器が使用されている。
【０００３】
また、このような容器において、容器本体を、内容液の充填空間を有し減容変形可能な内層体と、この内層体を内側に収納するとともに容器の外殻を形成する外層体とで構成した二重容器（デラミ容器、積層剥離容器ともいう）が知られている（例えば、特許文献１）。
【０００４】
このような二重容器においては、外層体の口部に、内層体への外気の侵入を防止する逆止弁を設けた注出キャップが装着される。そして、外層体を押圧することで内層体を加圧し、これによって逆止弁が開放させることで内容液が注出される。また、外層体には、内層体との間に外気を取り込む貫通孔が設けられ、注出後、外層体が元の形状に復元する際は、この貫通孔から外気が取り込まれ、内層体は減容変形したままで外層体のみが復元する構成となっている。
【先行技術文献】
【特許文献】
【０００５】
【特許文献１】特開２０１３−１３３１１６号公報
【発明の概要】
【発明が解決しようとする課題】
【０００６】
ところで、このような二重容器においては、内容液の吐出形態は、注出口からストリーム状（水柱状）に注出されるのみであったため、広範囲にわたって内容液を振りかけようとした場合には、意図した量よりも大量に内容液が注出される虞があった。
【０００７】
それゆえ本発明は、内容液が大量に注出されることを抑制し、適切な量の内容液を広範囲にわたって注出させることが可能な二重容器を提供することを目的とする。
【課題を解決するための手段】
【０００８】
本発明は、上記課題を解決するためになされたものであり、本発明の二重容器は、内容液の充填空間を有する減容変形可能な内層体と、
該内層体をその内側に収納するとともに該内層体との相互間に空気を導入する外気導入開口が形成された外層体と、
前記内層体の上部開口を覆う天壁を有し、該天壁に、前記充填空間に通じる内容液通路が形成された中栓と、
該内容液通路を閉鎖する一方、前記外層体への押圧に伴う該充填空間への加圧にて該内容液通路を開放する逆止弁と、
内容液を注出する注出筒を有し、該中栓及び該逆止弁を内側に収めて前記外層体の口部周壁に装着される注出キャップと、を備える二重容器であって、
前記注出キャップには、該注出キャップとの間に前記内容液通路を通して流入する内容液に旋回を与えるスピン通路を形成するノズルチップが装着され、
該ノズルチップ又は該注出キャップに設けられた、前記内容液通路及び前記スピン通路を通過した内容液を噴射可能な噴出口が、前記注出筒の内側に配置されていることを特徴とする。
【０００９】
また、本発明の二重容器にあっては、前記スピン通路は、相互に当接する前記ノズルチップ及び前記注出キャップの当接面の何れか一方側に形成された、前記噴出口に向かって収束する複数のスピン溝で構成されることが好ましい。
【００１０】
また、本発明の二重容器にあっては、前記ノズルチップ又は前記注出キャップには、前記スピン通路とは別に前記内容液通路と噴出口とを連通させる貫通孔が形成されていることが好ましい。
【発明の効果】
【００１１】
本発明によれば、内容液が大量に注出されることを抑制し、適切な量の内容液を広範囲にわたって注出させることが可能な二重容器を提供することが可能となる。
【図面の簡単な説明】
【００１２】
【図１】本発明の一実施形態に係る二重容器を示す断面図である。
【図２】（ａ）は、図１に示す二重容器の注出形態の一例を示す図であり、（ｂ）は、図１に示す二重容器の使用状態における他の注出形態を示す図である。
【図３】本発明の他の実施形態に係る二重容器を示す断面図である。
【発明を実施するための形態】
【００１３】
以下、図面を参照して、本発明をより具体的に例示説明する。図１に示すように、本発明の一実施形態に係る二重容器１（以下、「容器１」ともいう）は、内層体２と、外層体３と、注出キャップ４と、中栓５と、逆止弁６と、ノズルチップ７と、を備える。
【００１４】
内層体２は、減容変形可能に形成されるものであって、外層体３の内側に収納される。内層体２は、その内側に内容液を充填する充填空間Ｓと、この充填空間Ｓにつながる上部開口を有する。
【００１５】
外層体３は、円筒状の口部周壁３ａに、図示を省略する復元自在な可撓性を有する胴部、及び胴部の下端を閉鎖する底部で構成される。口部周壁３ａの外周面には雄ねじ部３ｂを設けている。また、口部周壁３ａには、内層体２との相互間に空気を取り込むための外気導入開口３ｃを設けていて、更に、外気導入開口３ｃを設けた外周面には、上下方向に雄ねじ部３ｂを切り欠く溝部３ｄが形成されている。なお、外気導入開口３ｃの形成位置は特に限定されず、口部、胴部、底部等に設けることができる。
【００１６】
ここで、内層体２及び外層体３は、本実施形態ではともに合成樹脂製であって、相互に相溶性が低い樹脂を用いている。また、内層体２及び外層体３は、内層体２の合成樹脂素材と外層体３の合成樹脂素材とを積層して形成されるパリソンに対し、ブロー成形を行うことによって形成されている。また、内層体２と外層体３との間に、縦方向に延在して内層体２と外層体３とを部分的に接合する、１本或いは複数本の接着帯を設けてもよい。
【００１７】
注出キャップ４は、口部周壁３ａを取り囲む外周壁１１を備え、外周壁１１の内周面には、口部周壁３ａの雄ねじ部３ｂに対応する雌ねじ部１２が形成されている。また、外周壁１１の上部には、頂壁１３が一体に連結している。頂壁１３には、内容液を注出する注出筒１４が設けられており、注出筒１４の内側に噴出口１４ａが形成されている。また、頂壁１３の下面には、同心二重配置となる一対の上部嵌合壁１５が設けられている。更に、上部嵌合壁１５より径方向外側には、頂壁１３を貫通する外気導入孔１６を設けている。なお、外周壁１１の下端は口部周壁３ａと気密に当接していて、口部周壁３ａと外周壁１１との間には、外気導入開口３ｃに通じる通気路Ｔが設けられている。
【００１８】
中栓５は、注出キャップ４の内側に配置され、口部周壁３ａの内側に位置する内層体２の上部開口を覆う天壁２１を有する。天壁２１には、一端が注出筒１４側に開口するとともに他端が内層体２の充填空間Ｓ側に開口する筒状壁２２が設けられている。本実施形態の筒状壁２２は、天壁２１から充填空間Ｓに向けて延びる円筒部２２ａに連続する傾斜部２２ｂを介して、下端に開口２２ｃが形成されている。また天壁２１には、この天壁２１を貫通し、充填空間Ｓに通じる内容液通路２３が形成されている。
【００１９】
また天壁２１は、内容液通路２３より径方向外側において充填空間Ｓ側に屈曲する段部２４を備えていて、段部２４より径方向外側には、段部２４との間で上向き開放の溝を形成する嵌合壁２５が設けられている。そして天壁２１の下面には、外層体３との間で内層体２を挟み込む環状のシール壁２６を設けている。天壁２１の外縁には、少なくとも１つの溝２７が設けられている。
【００２０】
筒状壁２２内には、本実施形態では球状となる移動弁体３０が設けられている。筒状壁２２と移動弁体３０との間には、容器１の姿勢変更に応じて移動弁体３０が移動可能、且つ内容液はほとんど通過させない（実質的に通過させない）程度の隙間が設けられている。また移動弁体３０は、容器１を起立姿勢（容器１の底部を水平な台の上に載置した状態の姿勢）にすることで、筒状壁２２の傾斜部２２ｂに着座する。これによって充填空間Ｓをシールすることができる。
【００２１】
逆止弁６は、円筒状になる環状壁４１の径方向内側に、例えば３つのアーム４２を介して連結する板状の弁体４３を備えている。また逆止弁６は、注出キャップ４、中栓５に対して取り付けた際、環状壁４１の下部が段部２４と嵌合壁２５との間で嵌合保持され、環状壁４１の上部が一対の上部嵌合壁１５で嵌合保持されるようになっている。また、弁体４３は、通常時は天壁２１に着座して内容液通路２３を閉鎖する。また、本実施形態においては、環状壁４１の径方向外側に、周方向に沿って延びる環状の空気弁４５が設けられている。空気弁４５は弾性変形可能であり、外気導入孔１６と、外気導入開口３ｃとの連通及び遮断を切り替えるよう構成されている。
【００２２】
ノズルチップ７は、注出キャップ４の内側に装着され、上部嵌合壁１５の内周面に凹凸嵌合によって嵌合保持される円筒状の周壁７１と、周壁７１の上端を覆う隔壁７２とを備える。本実施形態において、周壁７１の外周面には中心軸線Ｍと平行（軸線方向）に延びる縦溝７１ａが形成されている。また、頂壁１３との当接面となる隔壁７２の上面には、当該縦溝７１ａに連通するスピン溝７２ａが形成されている。スピン溝７２ａと頂壁１３の下面に囲まれた通路がスピン通路となり、内容液通路２３及び縦溝７１ａを通過して流入する内容液に旋回を与える。なお、縦溝７１ａは、内容液通路２３とスピン溝７２ａを連通させるものであれば、形状や本数は特に限定されず、例えば軸線方向に、直線状に延びる溝が３本形成された構成としてもよい。また、スピン溝７２ａの形状も、スピン溝７２ａを通過する内容液に旋回を与えるものであれば特に限定されるものではなく、例えば、隔壁７２の中心に位置する噴出口１４ａに向かって収束する３本のらせん状の溝とすることができる。また、本実施形態においては、縦溝７１ａを周壁７１の外周面に形成したが、周壁７１の外周面に当接する上部嵌合壁１５の内周面に設けても良い。また、スピン溝７２ａは、頂壁１３の下面に設けてもよい。
【００２３】
隔壁７２の中心には、スピン通路とは別に内容液通路２３と噴出口１４ａとを連通させる貫通孔７２ｂが形成されている。すなわち、本実施形態の二重容器１にあっては、充填空間Ｓから内容液通路２３を通って流入した内容液は、縦溝７１ａ及びスピン溝７２ａを通り噴出口１４ａに向かう第１経路とは別に、貫通孔７２ｂを通る第２経路を有する。なお、貫通孔７２ｂを設けずに、内容液が上記第１経路のみを通って噴出口１４ａへ向かう構成としてもよい。
【００２４】
蓋体５０は、ヒンジ５１を介して注出キャップ４の外周壁１１に連結していて、ヒンジ５１で折り曲げることで、注出筒１４及び外気導入孔１６を覆い隠すことができる。より詳細には、蓋体５０は、平板状の上壁５２と、上壁５２の縁部に連結するとともに外周壁１１に連なる形状となる蓋体周壁５３とを備えていて、上壁５２には、蓋体５０を閉めた際に注出筒１４の内側に入り込んで注出筒１４をシールする筒状のシール部５４が設けられている。なお、蓋体５０は、ヒンジ５１を設けずに注出キャップ４とは別体のものとし、ねじやアンダーカットで注出キャップ４に装着するように構成してもよい。
【００２５】
上記のように構成される二重容器１から内容液を注出するに当たっては、図２（ａ）、（ｂ）に示すように蓋体５０を開き、容器１を起立姿勢から傾倒姿勢に姿勢変更して、外層体３の胴部を押圧する。これにより、筒状壁２２内の移動弁体３０は注出筒１４側に移動し、また、内層体２と外層体３との間の空気を介して充填空間Ｓが加圧される。なお、外層体３の外気導入開口３ｃと注出キャップ４の外気導入孔１６との間は、空気弁４５によって封止されているため、外層体３を押圧した際に、内層体２と外層体３との間の空気は漏れ出すことはない。加圧された内容液は、弁体４３を持ち上げて内容液通路２３を開放し、当該内容液通路２３から流出する。そして、内容液は縦溝７１ａ及びスピン溝７２ａを通る第１経路と、貫通孔７２ｂを通る第２経路とに分かれて通過して、注出筒１４の内側に配置された噴出口１４ａから外界に注出（噴射）される。
【００２６】
ここで、本実施形態の二重容器１にあっては、外層体３の胴部を勢いよく（素早く）押圧することで、図２（ａ）に示すように、噴出口１４ａから霧状（シャワー状）に内容液を注出することができる。これは、スピン通路を設けたことで噴出口１４ａの手前で内容液に旋回が与えられ、噴出口１４ａから勢いよく押し出されることで、内容液が広範囲に飛散するためである。
【００２７】
また、胴部をゆっくりと押圧した場合には、図２（ｂ）に示すように内容液を滴々注出することができる。これは、内容液が噴出口１４ａを通過する際の速度が遅いために内容液が注出筒１４の内側で合流して滴状となった後、注出筒１４の先端から滴下されるためである。
【００２８】
以上のように、本実施形態の二重容器１によれば、スピン通路を設けたことにより、噴出口１４ａから霧状に内容液を注出することができるので、内容液が大量に注出されることを抑制し、適切な量の内容液を広範囲にわたって注出することが可能となる。
【００２９】
また、本実施形態の二重容器１によれば、外層体３の胴部を押圧する速度を変えることで、霧状と滴状の２つの注出形態から、何れか一方を選択することができる。
【００３０】
さらに、本実施形態の二重容器１にあっては、ノズルチップ７に貫通孔７２ｂを設けたことで、上記第１経路と第２経路の２つの経路に分かれて内容液がスムーズに流れるため、内容液が第１経路のみを通る場合に比べて、外層体３の胴部を押圧する際に大きな圧力を加えることなく内容液を注出することが可能となる。
【００３１】
なお、所要量の内容液を注出した後は、外層体３の胴部への押圧を解除する。これによって充填空間Ｓ内の圧力が下がり、弁体４３が内容液通路２３を閉鎖するので、充填空間Ｓ内への外気の入り込みが防止できる。また、外層体３は、それ自身の復元力により元の形状に戻ろうとするため、内層体２と外層体３との相互間は負圧状態となり、これによって空気弁４５が下方に弾性変形して、外気導入孔１６から溝２７、通気路Ｔを経て、外気導入開口３ｃに空気が導入され、内層体２を減容変形させたまま外層体３が復元する。
【００３２】
弁体４３が内容液通路２３を閉鎖すると、注出筒１４から内容液通路２３までの空間内には内容液が残留したままになっているものの、容器１を元の起立姿勢に戻すと、移動弁体３０は、それ自身の自重や充填空間Ｓ内の圧力低下によって内層体２の充填空間Ｓ側に移動する。これにより、注出筒１４内に残留した内容液は、１４a側へサックバックされ、液垂れを有効に防止することができる。
【００３３】
次に、本発明に従う他の実施形態について、図３を参照しつつ説明する。なお、上述した実施形態と同一の機能を有する部位は、同一の符号を付して説明を省略する。
【００３４】
図３に示す二重容器１００において、注出筒１４の内側には、注出筒１４の内面下端部に設けられた複数の連結片を介して突出部８０が設けられている。突出部８０は、円筒状の突出部側壁８１と、突出部側壁８１の上端を覆う突出部頂壁８２を備え、突出部頂壁８２の中心には、貫通孔８３が形成されている。
【００３５】
また、突出部８０には、上方（注出筒１４の注出開口側）から装着されたノズルチップ１０７が配置されている。ノズルチップ１０７は、突出部側壁８１の外側、且つ注出筒１４の内側に、凹凸嵌合によって嵌合保持される円筒状の周壁１７１と、周壁１７１の上端を覆う隔壁１７２とを備える。なお、本実施形態において、隔壁１７２の中心には、噴出口１４ａが形成されている。
【００３６】
本実施形態において、突出部側壁８１の外周面には軸線方向に延びる縦溝８１ａが形成されている。また、突出部頂壁８２との当接面となる隔壁１７２の下面には、縦溝８１ａに連通するスピン溝１７２ａが形成されている。すなわち、本実施形態においては、スピン溝１７２ａと突出部頂壁８２の上面に囲まれた通路がスピン通路となり、内容液通路２３及び縦溝８１ａを通過して流入する内容液に旋回を与える。なお、縦溝８１ａおよびスピン溝１７２ａは、突出部８０側、ノズルチップ１０７側の何れの当接面に形成されていても良く、その形状及び本数も限定されるものではない。
【００３７】
上記のような構成の二重容器１００においても、先の実施形態と同様に、スピン通路を設けたことにより、噴出口１４ａから霧状に内容液を注出することができるので、内容液が大量に注出されることを抑制し、適切な量の内容液を広範囲にわたって注出することが可能となる。また、外層体３の胴部を押圧する速度を変えることで、霧状と滴状の２つの注出形態から、何れか一方を選択することができる。さらに、突出部頂壁８２に貫通孔８３を設けたことで、スピン通路を通る第１経路と、貫通孔８３を通る第２経路の２つの経路を通って内容液がスムーズに流れるため、外層体３の胴部を押圧する際に、大きな圧力を加えることなく、内容液を注出することが可能となる。
【００３８】
本発明に従う二重容器は、上述した実施形態に限定されるものではなく、特許請求の範囲に従う範囲で種々の変更が可能である。例えば逆止弁６としては、３点弁に限られず、１点弁等、従前の他の形態の逆止弁を用いることができる。また、移動弁体３０の断面形状は、筒状壁２２の断面形状に合わせて円や多角形等、適宜変更することができる。また、その立体的な形状は、球状を問わず、柱状（円柱や四角柱等）や錐体状（円錐や三角錐等）のように、種々のものを適用することができる。また、外層体３及び内層体２は、積層構造のパリソンをブロー成形することによって形成されるものに限られず、外層体３及び内層体２を個別に形成し、その後、内層体２を外層体３内に装着するようにしたものでもよい。
【符号の説明】
【００３９】
１、１００  二重容器
２  内層体
３  外層体
３ａ  口部周壁
３ｂ  雄ねじ部
３ｃ  外気導入開口
３ｄ  溝部
４  注出キャップ
５  中栓
６  逆止弁
７  ノズルチップ
１１  外周壁
１２  雌ねじ部
１３  頂壁
１４  注出筒
１４ａ  噴出口
１５  上部嵌合壁
１６  外気導入孔
２１  天壁
２２  筒状壁
２２ａ  円筒部
２２ｂ  傾斜部
２２ｃ  開口
２３  内容液通路
２４  段部
２５  嵌合壁
２６  シール壁
２７  溝
３０  移動弁体
４１  環状壁
４２  アーム
４３  弁体
４５  空気弁
５０  蓋体
５１  ヒンジ
５２  上壁
５３  蓋体周壁
５４  シール部
７１  周壁
７１ａ  縦溝
７２  隔壁
７２ａ  スピン溝
７２ｂ  貫通孔
８０  突出部
８１  突出部側壁
８１ａ  縦溝
８２  突出部頂壁
８３  貫通孔
１０７  ノズルチップ
１７１  周壁
１７２  隔壁
１７２ａ  スピン溝
Ｓ  充填空間
【図１】
0006359405.tif 000002
【図２】
0006359405.tif 000003
【図３】
0006359405.tif 000004